(57)【要約】      （修正有）【課題】ごみ箱や靴箱等の密閉空間内に掛着可能で、同時に容易に取り外せる可動掛け式密閉空間脱臭器を提供する。【解決手段】本体１０、循環ファン２０、光触媒フィルター３０、ＵＶ制御回路基板４０、感知装置及び強制スイッチ８２部材を備える。まず、本体１０は、内部に収容空間を有し、且つ本体１０の前端には入気口１２が設けられ、側端には少なくとも１つの排気孔１３が設けられる。本体１０は手に持って所定の場所に移動させることが可能な体積であり、且つフロントケース１０１及びバックケース１０２で構成される。フロントケース１０１及びバックケース１０２には対応し合う嵌合機構が設置され、且つ入気口１２及び排気孔１３はそれぞれ複数であり、フロントケース１０１の前端及びバックケース１０２の側端に緻密に分布される。【選択図】図３
0003213854.tif 000002
【実用新案登録請求の範囲】
【請求項１】
内部に収容空間を有し、且つ前端には入気口が設けられ、側端には少なくとも１つの排気孔が設けられる本体と、
前記入気口に隣接する収容空間に内設される循環ファンと、
前記循環ファンの後方に設置され、且つ前記循環ファンにより前記入気口から入れられる空気を全て通過させる光触媒フィルターと、
ＵＶ−Ａ  ＬＥＤと、マイクロコントローラと、電源制御チップとを有し、前記収容空間に内設されると共に前記循環ファンに電気的に接続され、且つ前記ＵＶ−Ａ  ＬＥＤの光源を照射させると共に前記光触媒フィルターに触媒作用を生じさせて空気の脱臭効果を達成させるＵＶ制御回路基板と、
一端が前記ＵＶ制御回路基板に接続され、前記ＵＶ制御回路基板及び前記循環ファンに必要な電力を供給するための電源コードと、
を備え、前記本体がごみ箱及び靴箱等のオープン部材が設置される密閉空間内に掛着され、前記密閉空間内の塵や浮遊物を含む汚れた空気が前記循環ファンにより前記入気口から本体内に入れられ、前記光触媒フィルターを通過した後、前記排気孔から前記本体の外に排出され、前記光触媒フィルターが前記ＵＶ−Ａ  ＬＥＤの照射を受けることにより、汚れた空気中の悪臭の元である化学物質が無害な無臭の物質に分解され、前記密閉空間内の空気の脱臭効果を達成させることを特徴とする可動掛け式密閉空間脱臭器。
【請求項２】
前記本体は手に持って所定の場所まで移動させることが可能な体積であり、且つフロントケース及びバックケースで構成され、前記フロントケース及び前記バックケースには対応し合う嵌合機構が設置され、前記入気口及び前記排気孔はそれぞれ複数であり、且つ前記フロントケースの前端及び前記バックケースの側端に緻密に分布され、また、前記フロントケースの前端には前面凹部及びカバーを有し、前記緻密に分布される複数の入気口は前記カバーに設けられ、前記前面凹部の外側の中央部には凸部体及び前記凸部体の周囲に位置される複数の通気口が設けられ、前記カバーの中央部には前記凸部体に対する箇所に対応する位置決め孔が設けられ、前記カバーは分離状を呈する覆いが前記前面凹部に定位されて導流空間が形成され、前記バックケースには後面凹部が設けられ、前記後面凹部には接着用部材が設置され、前記本体が前記接着用部材により所定の場所に掛けられるように付着され、前記ＵＶ制御回路基板は前記バックケースに内設されることを特徴とする、請求項１に記載の可動掛け式密閉空間脱臭器。
【請求項３】
前記循環ファンは軸流ファンであり、且つその上に複数の案内孔が設けられ、前記循環ファンの後部は前記フロントケースの前面凹部の内側に向けられ、前記循環ファンの前部は前記光触媒フィルターに向けられ、前記循環ファンと前記光触媒フィルターとの間には支持フレームが設置され、前記支持フレームの一面は延伸されるフレームであり、前記フレームには前記光触媒フィルターが嵌め込まれ、また、前記支持フレームには複数の導流口が設けられ、前記支持フレームの他面からは複数の支持柱が延伸され、各前記支持柱は前記循環ファンの各前記案内孔を通過して前記フロントケースの前面凹部の内側に結合され、前記循環ファン及び前記光触媒フィルターの位置を固定させるために使用され、前記光触媒フィルターと前記循環ファンとの間に循環流場の高さが形成され、前記循環流場の高さが前記フロントケースに設けられる緻密に分布される入気口及び前記バックケースに設けられる緻密に分布される排気孔に対応することにより異なる経路の流体の流れ方向が形成されることを特徴とする、請求項２に記載の可動掛け式密閉空間脱臭器。
【請求項４】
前記接着用部材は磁石、面ファスナー、両面テープ、及び粘着テープの内の何れか１つで構成され、前記本体がごみ箱及び靴箱等の密閉空間内に容易に掛着可能になり、同時に前記密閉空間内から容易に取り外し可能になることを特徴とする、請求項２に記載の可動掛け式密閉空間脱臭器。
【請求項５】
前記電源制御チップには循環的に起動時間及び待機時間が設定され、前記循環ファン及びＵＶ−Ａ  ＬＥＤが間欠的に運転されることを特徴とする、請求項１に記載の可動掛け式密閉空間脱臭器。
【請求項６】
前記バックケースは、ごみ箱及び靴箱等の密閉空間のオープン部材の開閉状態を感知させるための感知装置を更に備え、前記感知装置は前記本体の外縁に設置されると共に前記ＵＶ制御回路基板のマイクロコントローラに電気的に接続され、前記密閉空間のオープン部材が開かれると、前記電源制御チップにより前記ＵＶ−Ａ  ＬＥＤ及び前記循環ファンの運転が停止され、前記密閉空間のオープン部材が閉められると、前記電源制御チップにより前記ＵＶ−Ａ  ＬＥＤ及び前記循環ファンが起動されて運転を始めることを特徴とする、請求項２に記載の可動掛け式密閉空間脱臭器。
【請求項７】
前記バックケースは、前記本体の外縁に設置されると共に前記ＵＶ制御回路基板のマイクロコントローラに電気的に接続される強制スイッチを更に備え、前記密閉空間内の空気の臭いが強い場合、前記強制スイッチが押されると、前記循環ファン及び前記ＵＶ−Ａ  ＬＥＤの運転が周期的にリセットされ、再起動されて運転を始めることを特徴とする、請求項６に記載の可動掛け式密閉空間脱臭器。
【請求項８】
前記電源コードの他端は電池装置に接続され、且つ前記電池装置には一般的な電池または充電池が納置されることを特徴とする、請求項１に記載の可動掛け式密閉空間脱臭器。
【請求項９】
前記バックケースには、前記電源コードの一端が挿入される電気接続ポートが設置されることを特徴とする、請求項２に記載の可動掛け式密閉空間脱臭器。
【考案の詳細な説明】
【技術分野】
【０００１】
本考案は、密閉空間脱臭器に関する。
【背景技術】
【０００２】
空気が流れない空間内には通常、細菌、塵、浮遊物等が発生しやすい。特に、靴箱及びごみ箱等の物品により形成される密閉空間内では、細菌が繁殖しやすく、悪臭を発生させる。
【考案の概要】
【考案が解決しようとする課題】
【０００３】
ＵＶ−Ｃ紫外線の波長の範囲は２００〜２８０ナノメートル（ｎｍ）であり、細菌、病原菌、または微生物の中枢となるＤＮＡ構造を直接破壊し、微生物体を構成するタンパク質を形成不能にする高い破壊能力を有する。靴箱内にＵＶ−Ｃ紫外線ランプを装設させると、靴が密閉空間内に入れられた場合、空気が流れないため靴内の細菌がすぐに繁殖し、密閉空間内に悪臭が満ちる。ＵＶ−Ｃ紫外線ランプは細菌を破壊する能力はあるが、しかしながら、悪臭の満ちた空気に対しては効力がない。また、ＵＶ−Ｃ紫外線が人体に照射されると傷害を負う。
【０００４】
さらに、光触媒は紫外線光源と結合されて発展した製品であり、光触媒の原理は光のエネルギーを利用し、ナノサイズ二酸化チタンを触媒とし、化学反応を誘発させる。具体的には、触媒材料が光の波長の照射を受け、電子及び正孔が発生し、且つ空気中の水分子及び酸素分子と作用して水酸化物イオンＯＨ￣が発生し、有機物の分子結合を容易に切断してこれを分解させる。この作用により空気中の悪臭の元である化学物質が、無害な物質に簡単に分解される。よって、光触媒は脱臭、抗菌、抗かび、垢の分解等の機能を有する。ごみ箱内にＬＥＤランプ及び光触媒が装設され、光触媒が容器の内縁に噴霧される。密閉空間内に置かれるごみに含まれる細菌が空気の流れない環境で早く生長し、密閉空間内の空気に悪臭が満ちる。上方を流れる空気は光触媒の分解作用により脱臭されるが、但し容器から離れた場所の空気は光触媒の作用を受けない。換言すれば、容器に光触媒が噴霧されても、ごみ箱の中の密閉空間内の空気に対しては一部にしか作用せず、その効果は極めて限定的である。
【０００５】
靴箱内にＵＶ−Ｃ紫外線ランプが装設されても、空気の脱臭効果は不十分である。ごみ箱内にＬＥＤランプが装設され、容器に光触媒が噴霧されても、密閉空間内の全ての空気に対しては光触媒は作用せず、全面的な脱臭効果を達成できない。このため、密閉空間内の悪臭の脱臭こそが本考案が解決を目指す課題である。
【０００６】
かかる従来の実情に鑑みて、本考案は、可動掛け式密閉空間脱臭器を提供することを目的とする。すなわち、密閉空間に掛着される脱臭器であり、密閉空間内の汚れた空気が循環して光触媒フィルターを通過した後、空気の脱臭効果が達成される。
【０００７】
本考案の他の目的は、可動掛け式密閉空間脱臭器を提供する。すなわち、ごみ箱及び靴箱等の密閉空間内に容易に掛着可能であり、同時に密閉空間内から容易に取り外せる脱臭器である。
【０００８】
本考案のさらなる他の目的は、可動掛け式密閉空間脱臭器を提供する。すなわち、異なる経路の流体の流れ方向を有する脱臭器であり、空気の脱臭を達成させ、一次フィルターが不要であり、材料が少なくて済む。
【課題を解決するための手段】
【０００９】
上述した課題を解決し、目的を達成するために、本考案に係る可動掛け式密閉空間脱臭器の特徴は、内部に収容空間を有し、且つ前端には入気口が設けられ、側端には少なくとも１つの排気孔が設けられる本体と、入気口に隣接する収容空間に内設される循環ファンと、循環ファンの後方に設置され、且つ循環ファンにより入気口から入れられる空気を全て通過させる光触媒フィルターと、ＵＶ−Ａ  ＬＥＤ、マイクロコントローラ、及び電源制御チップを有し、収容空間に内設されると共に循環ファンに電気的に接続され、且つＵＶ−Ａ  ＬＥＤの光源を照射させると共に光触媒フィルターに触媒作用を生じさせて空気の脱臭効果を達成させるＵＶ制御回路基板と、一端がＵＶ制御回路基板に接続され、ＵＶ制御回路基板及び循環ファンに必要な電力を供給するための電源コードとを備える。
【００１０】
これにより、本体がごみ箱及び靴箱等のオープン部材が設置される密閉空間内に掛着され、密閉空間内の塵や浮遊物を含む汚れた空気が循環ファンにより入気口から本体内に入れられ、光触媒フィルターを通過させた後、排気孔から本体の外に排出される。光触媒フィルターがＵＶ−Ａ  ＬＥＤの照射を受けることにより、汚れた空気中の悪臭の元である化学物質が無害な無臭の物質に分解され、こうして密閉空間内の空気の脱臭効果を達成させる。
【００１１】
本考案によれば、ＵＶ−Ａ  ＬＥＤの照射により、汚れた空気中の悪臭の元である化学物質が無害で無臭の物質に分解される。これにより、密閉空間内の空気の脱臭効果を達成させる。
【図面の簡単な説明】
【００１２】
【図１】本考案の一実施形態を示す斜視図である。
【図２】本考案の他の実施形態を示す斜視図である。
【図３】本考案の実施形態を示す分解斜視図である。
【図４】本考案の流体の流れ方向を示す概略図である。
【図５】本考案の循環流場の高さを示す概略図である。
【図６】本考案の電気接続を示す図である。
【図７Ａ】本考案が靴箱に掛着される概略図（一）である。
【図７Ｂ】本考案が靴箱に掛着される概略図（二）である。
【図８Ａ】本考案がごみ箱に掛着される概略図（一）である。
【図８Ｂ】本考案がごみ箱に掛着される概略図（二）である。
【図９】本考案が片手で持てる態様を示す概略図（一）である。
【考案を実施するための形態】
【００１３】
本考案における好適な実施の形態について、添付図面を参照して説明する。なお、以下に説明する実施の形態は、実用新案登録請求の範囲に記載された本考案の内容を限定するものではない。また、以下に説明される構成の全てが、本考案の必須要件であるとは限らない。
【００１４】
（一実施形態）
以下、図１〜図６及び図７Ａ乃至図９を参照しながら、本考案を詳しく説明する。本考案の好ましい実施形態によると、本体１０、循環ファン２０、光触媒フィルター３０、ＵＶ制御回路基板４０、感知装置８１及び強制スイッチ８２部材を備える。まず、本体１０は、内部に収容空間１１を有し、且つ本体１０の前端には入気口１２が設けられ、側端には少なくとも１つの排気孔１３が設けられる。本体１０は手に持って所定の場所に移動させることが可能な体積であり、且つフロントケース１０１及びバックケース１０２で構成される。フロントケース１０１及びバックケース１０２には対応し合う嵌合機構１０３が設置され、且つ入気口１２及び排気孔１３はそれぞれ複数であり、フロントケース１０１の前端及びバックケース１０２の側端に緻密に分布される。
【００１５】
また、フロントケース１０１の前端には前面凹部１０１１及びカバー１２Ａを有し、複数の緻密に分布される入気口１２はカバー１２Ａに設けられ、前面凹部１０１１の外側の中央部には凸部体１０１２及び凸部体１０１２の周囲に位置される複数の通気口１０１３が設けられる。カバー１２Ａの中央部には凸部体１０１２に対する箇所に対応する位置決め孔１２１が設けられ、カバー１２Ａは分離状を呈する覆いが前面凹部１０１１に定位されて導流空間１０１４が形成される。
【００１６】
バックケース１０２には後面凹部１０２１が設けられ、後面凹部１０２１には接着用部材６０が設置され、本体１０が接着用部材６０により所定の場所に掛けられるように付着される。本実施形態において、接着用部材６０は磁石、面ファスナー、両面テープ、及び粘着テープの内の何れか１つで構成され、本体１０がごみ箱３００及び靴箱２００等の密閉空間９０内に容易に掛着可能となり、同時に密閉空間９０内から容易に取り外し可能となるが、但しこれに限られない。
【００１７】
循環ファン２０は、入気口１２に隣接する収容空間１１に内設される。循環ファン２０は軸流ファンであり、且つその上に複数の案内孔２４が設けられ、循環ファン２０の後部はフロントケース１０１の前面凹部１０１１の内側に向けられる。
【００１８】
光触媒フィルター３０は、循環ファン２０の後方に設置され、且つ循環ファン２０により入れられる空気が全て光触媒フィルター３０を通過する。循環ファン２０の前部は光触媒フィルター３０に向けられ、且つ循環ファン２０と光触媒フィルター３０との間には支持フレーム３０Ａが設置される。支持フレーム３０Ａの一面は延伸されるフレーム３１であり、フレーム３１には光触媒フィルター３０が嵌め込まれる。
【００１９】
また、支持フレーム３０Ａには複数の導流口３２が設けられ、支持フレーム３０Ａの他面からは複数の支持柱３３が延伸され、各支持柱３３は循環ファン２０の各案内孔２４を通過しフロントケース１０１の前面凹部１０１１の内側に結合され、循環ファン２０及び光触媒フィルター３０の位置を固定させるために用いられる。光触媒フィルター３０と循環ファン２０との間に循環流場の高さｄが形成され、循環流場の高さｄが、フロントケース１０１に設けられる緻密に分布される入気口１２及びバックケース１０２に設けられる緻密に分布される排気孔１３に対応することにより異なる経路の流体の流れ方向ｆが形成される。
【００２０】
ＵＶ制御回路基板４０は、ＵＶ−Ａ  ＬＥＤ４１と、マイクロコントローラ４２と、電源制御チップ４３とを有する。ＵＶ制御回路基板４０は収容空間１１に内設されると共に循環ファン２０に電気的に接続される。ＵＶ制御回路基板４０はバックケース１０２に内設される。本考案において、ＵＶ−Ａ  ＬＥＤ４１の光源は光触媒フィルター３０に十分に照射され、これにより光触媒フィルター３０に完全な触媒作用を発生させ、汚れた空気の脱臭効果を達成させる。電源コード５１は、一端がＵＶ制御回路基板４０に接続され、ＵＶ制御回路基板４０及び循環ファン２０に必要な電力を供給する。本実施形態において、本体１０のバックケース１０２には電気接続ポート８３が設置され、電源コード５１の一端が挿入されるが、これに限定されない。
【００２１】
感知装置８１及び強制スイッチ８２は、本体１０の外縁にそれぞれ設置され、且つＵＶ制御回路基板４０のマイクロコントローラ４２に電気的に接続される。電気的接続方式は図６を参照する。電源制御チップ４３には循環的に起動時間Ｔ１及び待機時間Ｔ２が設定され、循環ファン２０及びＵＶ−Ａ  ＬＥＤ４１の間欠的な運転の制御に用いられる。また、感知装置８１は密閉空間９０内のオープン部材の開閉状態を感知させるために使用される。オープン部材が開かれると、マイクロコントローラ４２が電源制御チップ４３に対して命令を出し、ＵＶ−Ａ  ＬＥＤ４１及び循環ファン２０の運転を即時停止させる。
また、密閉空間９０のオープン部材が閉められると、マイクロコントローラ４２が電源制御チップ４３に対して命令を出し、ＵＶ−Ａ  ＬＥＤ４１及び循環ファン２０を即時起動させて運転を開始させる。
【００２２】
また、強制スイッチ８２の作用は、密閉空間の悪臭が強い場合、使用者が強制スイッチ８２を押すことにより、循環ファン２０及びＵＶ−Ａ  ＬＥＤ４１の運転が周期的にリセットされ、再起動されて運転を始める。本実施形態は更に、電源コード５１の他端が電池装置５２に接続され、電池装置５２には一般的な電池または充電池が納置される。
【００２３】
図７Ａ及び図８Ａは本考案の脱臭器１００が、靴箱２００またはごみ箱３００内に掛着される概略図である。靴またはごみが靴箱２００またはごみ箱３００の密閉空間９０内に入れられると、空気が流れないため、靴内またはごみの細菌が塵及び浮遊物等に繁殖して悪臭を発生させる。本考案の脱臭器１００は接着用部材６０により靴箱２００またはごみ箱３００の壁面に掛着され、密閉空間９０内の細菌、塵、及び浮遊物を含む汚れた空気が、循環ファン２０により入気口１２から本体１０内に入れられ、光触媒フィルター３０を通過させた後、排気孔１３から本体１０の外に排出される。光触媒フィルター３０がＵＶ−Ａ  ＬＥＤ４１の光源の照射を受けることにより、汚れた空気中の悪臭の元である化学物質が無害な無臭の物質に分解される。これにより、靴箱２００またはごみ箱３００の密閉空間９０内の空気の脱臭効果を達成させる。
【００２４】
また、図７Ｂ及び図８Ｂは、靴箱２００のオープン部材２１０またはごみ箱３００のオープン部材３１０がドアが開かれる概略図であり、本考案の脱臭器１００には感知装置８１が装設されるため、密閉空間９０の開かれた状態が感知されると、マイクロコントローラ４２により電源制御チップ４３に対して命令が出されて、ＵＶ−Ａ  ＬＥＤ４１及び循環ファン２０の運転が即時停止される。これにより、人体がＵＶ紫外線により傷害を負うことを回避させる。なお、図９に示すように、脱臭器１００の体積は小型化されて軽いため、手に持って所定の場所まで容易に移動させることができる。また、脱臭器１００の体積が小型化されて軽いため、接着用部材６０が脱臭器１００の重量を負荷可能であり、所定の場所に簡単に掛けるように付着可能である。
【００２５】
上述の実施形態は、本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良または変更は、実用新案登録請求の範囲に含まれるものとする。
【符号の説明】
【００２６】
１０  本体
１０１  フロントケース
１０１１  前面凹部
１０１２  凸部体
１０１３  通気口
１０１４  導流空間
１０２  バックケース
１０２１  後面凹部
１０３  嵌合機構
１１  収容空間
１２  入気口
１２１  位置決め孔
１２Ａ  カバー
１３  排気孔
２０  循環ファン
２４  案内孔
３０  光触媒フィルター
３０Ａ  支持フレーム
３１  フレーム
３２  導流口
３３  支持柱
４０  ＵＶ制御回路基板
４１  ＵＶ−Ａ  ＬＥＤ
４２  マイクロコントローラ
４３  電源制御チップ
５１  電源コード
５２  電池装置
６０  接着用部材
８１  感知装置
８２  強制スイッチ
８３  電気接続ポート
９０  密閉空間
１００  脱臭器
２００  靴箱
２１０  オープン部材
３００  ごみ箱
３１０  オープン部材
Ｄ  循環流場の高さ
Ｆ  流体の流れ方向
Ｔ１  起動時間
Ｔ２  待機時間
【図１】
0003213854.tif 000003
【図２】
0003213854.tif 000004
【図３】
0003213854.tif 000005
【図４】
0003213854.tif 000006
【図５】
0003213854.tif 000007
【図６】
0003213854.tif 000008
【図７Ａ】
0003213854.tif 000009
【図７Ｂ】
0003213854.tif 000010
【図８Ａ】
0003213854.tif 000011
【図８Ｂ】
0003213854.tif 000012
【図９】
0003213854.tif 000013